(57)【要約】      （修正有）【課題】ブラジャー内層がブラカップを着用者の乳房に貼り付けることができる感圧粘着剤層を有し、各ブラカップがその下縁に支持ストリップが設けられることによって、乳房の集中と支え上げの効果を向上させる粘着式ブラジャーを提供する。【解決手段】１対のブラカップ１１と、感圧粘着剤層１３とからなり、前記両ブラカップは、接続部材によって互いに接続され、それぞれのブラカップが、少なくとも着用者の乳房に向ける内層１１１と前記内層に対向する外層１１２とを含み、各ブラカップの下縁に弧状の支持ストリップ２が設けられ、前記感圧粘着剤層は、前記ブラカップを単独に乳房に粘着して固定することができるように、前記ブラカップ内層の大部分の領域に永遠的に結合され、前記支持ストリップによって乳房におけるカップの着用効果を向上させる。【選択図】図２
0003159065.tif 000002
【実用新案登録請求の範囲】
【請求項１】
１対のブラカップと感圧粘着剤層とからなり、前記両ブラカップは、接続部材によって互いに接続され、それぞれのブラカップが、少なくとも着用者の乳房に向ける内層と前記内層に対向する外層とを含み、前記感圧粘着剤層は、前記ブラカップを単独に乳房に粘着して固定することができるように、前記ブラカップ内層の大部分の領域に永遠的に結合される粘着式ブラジャーにおいて、各ブラカップの下縁に支持ストリップが設けられることを特徴とする粘着式ブラジャー。
【請求項２】
前記支持ストリップは、弧状の支持ストリップであり、内層と外層との間の下縁に設けられる請求項１記載の粘着式ブラジャー。
【請求項３】
前記内層と外層は、布地により作製されたものであり、内層と外層との間にフィラー層が設けられる請求項１に記載の粘着式ブラジャー。
【請求項４】
前記支持ストリップは、内層と外層との間に設けられる請求項３に記載の粘着式ブラジャー。
【請求項５】
前記支持ストリップは、前記フィラー層内の下縁に設けられる請求項３に記載の粘着式ブラジャー。
【請求項６】
前記支持ストリップは、前記内層のフィラー層から離れる側に設けられる請求項３に記載の粘着式ブラジャー。
【請求項７】
前記支持ストリップは、前記外層のフィラー層から離れる側に設けられる請求項３に記載の粘着式ブラジャー。
【請求項８】
前記フィラー層は、スポンジ又は弾性の化学繊維により作製されたフィラー層である請求項３に記載の粘着式ブラジャー。
【請求項９】
前記支持ストリップは、金属ストリップ又は金属糸である請求項１〜８のいずれか１項に記載の粘着式ブラジャー。
【請求項１０】
前記支持ストリップは、プラスチックにより作製される請求項１〜８のいずれか１項に記載の粘着式ブラジャー。
【考案の詳細な説明】
【技術分野】
【０００１】
本考案は、粘着式ブラジャーに関し、特に、ブラジャー内層がブラカップを着用者の乳房に貼り付けることができる感圧粘着剤層を有し、各ブラカップがその下縁に支持ストリップが設けられることによって、乳房の集中と支え上げの効果を向上させる粘着式ブラジャーに関する。
【背景技術】
【０００２】
従来の布製ブラジャーは、主に２つのカップと、カップの両側に接続される背紐及び肩紐とからなる構造としており、胸の曲線形状の修飾と乳房の垂れ下げ防止のために、カップ下周辺にワイヤーがさらに設けられ、カップ下周辺におけるワイヤーによって乳房をカップ内に固定し、肩紐を締めつけることによってブラカップを吊り上げ、乳房が直立に見えるように乳房の位置を調整する布製ブラジャーが提出された。しかし、前記布製ブラジャーは着用する場合、背紐と肩紐の締めつけがきつすぎるため、乳房がカップに圧迫されるとともに、体が背紐と肩紐に近いところに突き上げて明らかな喰い込みが生じてしまう。
【０００３】
もう一種の粘着式ブラジャーは、カップ内側面の粘着層によって単独に着用者の乳房に貼り付けることができ、そのカップの内縁外にある接続釦で左右のカップを共に接合することによって、乳房を内方へ寄せることができるだけでなく、着用者の背、肩や胸の美しい曲線を見せるために種々のベアトップやローブデコルテと容易に組み合わせることができるから、すでにおしゃれな女性の愛用品となった。しかし、種々の理由で乳房が垂れ下げたり、外方へひろがったりして、前記従来の粘着式ブラジャーを着用した後、それぞれの乳房形状と粘着式ブラジャーがマッチしないため、着用後で乳房の曲線がさらに直立で自然になるようにすることができない女性がまだ少なくない。また、柔らかいカップが一定の厚さと弾性を有するので、一定期間の着用後、安定性が足りなく、形が変わりやすく、乳房の底部を効果的に支えることができなくなるため、その達成できる支持及び整形の効果には限りがある。従って、前記粘着式ブラジャーにはまだ改良する余裕がある。
【０００４】
これを鑑みて、前記問題点を改善し、粘着式ブラジャーを着用する場合、着用者の乳房が直立で自然になるようにすることができるだけでなく、整形後の乳房形状をさらに安定にし、女性の胸曲線を美しくする機能を十分に達成させるために、本考案者は長年の経験に基づいて鋭意に研究開発を行って、ついに本考案の完成に至った。
【考案の概要】
【考案が解決しようとする課題】
【０００５】
本考案は主に、各ブラカップの下縁に弧状の支持ストリップを設けることによって、前記ブラジャーを着用する場合、底部支えで胸の形状を安定化及び最適化することができる粘着式ブラジャーを提供することを目的とする。
【課題を解決するための手段】
【０００６】
前記した目的を達成するために、本考案による粘着式ブラジャーは、１対のブラカップと感圧粘着剤層とからなり、前記両ブラカップは接続部材によって互いに接続され、そのうち、それぞれのブラカップが、少なくとも着用者の乳房に向ける内層と前記内層に対向する外層を含み、各ブラカップの下縁に弧状の支持ストリップが設けられ、前記感圧粘着剤層は、前記ブラカップを単独に乳房に粘着して固定することができるように、前記ブラカップ内層の大部分の領域に永遠的に結合され、また、前記支持ストリップによって乳房におけるカップの着用位置を安定にし、さらに乳房の集中と支え上げの効果を最適化する。
【０００７】
実施する場合、前記内層と外層との間にフィラー層が設けられ、前記支持ストリップは、内層と外層との間の下縁に設けられる。
【０００８】
実施する場合、前記内層と外層との間にフィラー層が設けられ、前記支持ストリップは、前記内層下縁位置のフィラー層から離れる側に設けられる。
【０００９】
実施する場合、前記内層と外層との間にフィラー層が設けられ、前記支持ストリップは、前記外層下縁位置のフィラー層から離れる側に設けられる。
【００１０】
以下、本考案をさらに明らかにするために、好ましい実施形態を挙げて、添付図面、図面番号と合わせて本考案の具体的な構成やその達成する効果を下記のように詳細に説明する。
【図面の簡単な説明】
【００１１】
【図１】本考案に係る粘着式ブラジャーの第１の実施形態の前面外観図である。
【図２】図１の実施形態の断面模式図である。
【図３Ａ】図１の実施形態のブラカップを接続する前の外観模式図である。
【図３Ｂ】図３Ａの実施形態のブラカップを接続した後の外観模式図である。
【図４】本考案に係る粘着式ブラジャーの他の実施形態の前面外観図である。
【図５】本考案に係る粘着式ブラジャーの他の実施形態の断面模式図である。
【図６】本考案に係る粘着式ブラジャーの他の実施形態の断面模式図である。
【図７】本考案に係る粘着式ブラジャーの他の実施形態の断面模式図である。
【図８】本考案に係る粘着式ブラジャーの他の実施形態の断面模式図である。
【考案を実施するための形態】
【００１２】
図１及び図２を参照すると、１対のブラカップ１１と、接続部材１２と、弧状の支持ストリップ２とを含む本考案に係る粘着式ブラジャー１０の第１の実施形態である。
【００１３】
ブラカップ１１のそれぞれは、熱可塑性のレーヨン布である布地により作製された内層１１１と、外層１１２とを含み、前記内層１１１と外層１１２との間に、前記ブラカップ１１を形成するために、スポンジ又は弾性の化学繊維により作製されたフィラー層１１３が設けられる。前記粘着式ブラジャー１０を着用する場合、前記内層１１１は着用者の乳房に向け、前記内層１１１の大部分の領域に感圧粘着剤層１３が設けられ、前記感圧粘着剤層１３は着用する際にブラカップ１１を単独に乳房に粘着して固定することができるように、前記ブラカップ１１の内層１１１に永遠的に結合される。前記外層１１２は、前記内層１１１に対向し且つ着用者の乳房から離れるように前記ブラカップ１１に設けられる表面である。
【００１４】
図２に示すように、前記弧状の支持ストリップ２は、ブラカップ１１の内層１１１と外層１１２との間のフィラー層１１３内に設けられ、また、ブラカップの下縁に沿って設けられる。前記弧状の支持ストリップ２は、金属ストリップ、金属糸、又は可撓性のプラスチックによって作製されてもよい。
【００１５】
前記接続部材１２は、縫着又は加熱プレスで前記２つのブラカップ１１の相対側面の間に設けられることにより、前記２つのブラカップ１１は乳房に貼り付けられた後、前記接続部材１２を介して取付け又は取外し可能に互いに接続することができる。図３Ａ及び図３Ｂに示すように、前記接続部材１２は調節可能なベルト釦素子である。図３Ａにおいて、前記接続部材１２は互いに係合できる第１の部材１２１と第２の部材１２２を有し、前記第１の部材１２１は一方のブラカップ１１の内側に固着され、ホック釦１２３を有し、第２の部材１２２は他方のブラカップ１１の内側に固着され、複数の釦リング１２４を有する。これによって、前記第１の部材１２１のホック釦１２３は第２の部材１２２での釦リング１２４に係合して前記両ブラカップ１１を接続し、また、必要に応じて最適でブラカップ１１をきつく締める長さまで調整可能である（図３Ｂに示す）。
【００１６】
実施する場合、ブラカップ１１の内布地層１１１は、着用者の乳房に向けることにより、ブラカップ１１を乳房に貼り付けて固定し、また接続部材１２によってブラカップ１１を互いに接続させる。着用者は乳房におけるブラカップ１１の固定位置、及び接続部材１２による両ブラカップ１１同士の相互近接の程度によって、種々の程度の胸の谷間及び乳房の直立効果を実現可能である。また、ブラカップ１１下縁の弧状の支持ストリップ２は乳房の底部下縁を囲んでおり、乳房を良好に支えることができるので、ブラカップ１１下縁の変形を避け、ブラジャー１０の着用時の乳房位置固定の効果を強化し、ブラジャー１０の着用時の安定性を効果的に向上させる。
【００１７】
図４を参照すると、本考案に係る粘着式ブラジャー１０の他の実施形態であり、前記第１の実施形態の構成を基とするものであるが、前記接続部材１２は、互いに係合できる第１の接続部材１２５と第２の接続部材１２６を含み、第１の接続部材１２５と第２の接続部材１２６は、一方の端が、それぞれブラカップ１１の内側に結合され、他方の端が、前記両ブラカップ１１を互いに接続させるように互いに係合可能である。
【００１８】
図５を参照すると、本考案に係る粘着式ブラジャーの他の実施形態であり、前記第１の実施形態の構成を基とするものであるが、前記弧状の支持ストリップ２は、外層１１２のフィラー層１１３から離れる側に設けられ、また外層１１２の下縁に沿って設けられる。図６に示すように、前記弧状の支持ストリップ２は内層１１１のフィラー層１１３から離れる側に設けられ、また内層１１１の下縁に沿って設けられてもよい。
【００１９】
図７を参照すると、本考案に係る粘着式ブラジャーの他の実施形態であり、前記第１の実施形態の構成を基とするものであるが、前記支持ストリップ２は外層１１２の下縁とフィラー層１１３との間に設けられる。図８に示すように、前記支持ストリップ２は内層１１１の下縁とフィラー層１１３との間に設けられてもよい。
【００２０】
したがって、前記のこれらの実施形態から、前記弧状の支持ストリップの設置位置は、前記内層と外層との間に限定されず、完全にブラカップの設計によって決められることが分かる。本考案者による長年のブラジャー設計経験によると、この弧状の支持ストリップは、前記内層と外層との間の下縁に設けられることが最も好ましい。
【００２１】
従って、本考案は以下のメリットを有する。
【００２２】
１、本考案は、必要に応じて異なる程度でその着用角度と位置を調整し、乳房を良好に支持して修飾後の乳房曲線を安定にし、粘着式ブラジャーの実用性を向上させることができる。
【００２３】
２、本考案のブラカップの下縁に弧状の支持ストリップが設けられ、この支持ストリップは乳房の下縁を囲んでおり、乳房を良く支持することができ、本考案のブラジャーを着用した後、乳房がさらに集中されて高く支え上げられる。
【００２４】
総じて言えば、前記記載した内容によれば、本考案は、乳房を安定的に集中して押し上げ、より良い支持と支え上げの効果を果たし、ブラジャー着用時の安定さを向上させて女性の胸曲線を美しくする機能を十分に達成させる粘着式ブラジャーを提供するという考案の予期目的を確かに達成することができ、産業上の利用価値があるので、法によって実用新案を出願する。
【符号の説明】
【００２５】
１０      粘着式ブラジャー
１１      ブラカップ
１１１    内層
１１２    外層
１１３    フィラー層
１２      接続部材
１２１    第１の部材
１２２    第２の部材
１２３    ホック釦
１２４    釦リング
１２５    第１の接続部材
１２６    第２の接続部
１３      感圧粘着剤層
【図１】
0003159065.tif 000003
【図２】
0003159065.tif 000004
【図３Ａ】
0003159065.tif 000005
【図３Ｂ】
0003159065.tif 000006
【図４】
0003159065.tif 000007
【図５】
0003159065.tif 000008
【図６】
0003159065.tif 000009
【図７】
0003159065.tif 000010
【図８】
0003159065.tif 000011